(57)【要約】【課題】  スライドレールを２段階ロックできるともに１回のステップだけでロック解除可能なスライドレールアセンブリを提供すること。【解決手段】  スライドレールアセンブリは第１のレール、第２のレール、第１のロック機構及び第２のロック機構を含む。第２のレールは第１のレールに対して変位可能である。第１のロック機構及び第２のロック機構は第２のレールの２つの異なる部分にそれぞれ配置されるとともに第２のレールを２つの所定の伸長位置にそれぞれロックするように構成されている。第１のロック機構及び第２のロック機構は第２のレールがロック機構にもはやロックされておらず、第１のレールに対して引っ込めることができるように操作可能である。【選択図】  図２
2019118788.tif 000002
【特許請求の範囲】
【請求項１】
前端及びブロック部を有する第１のレールであって、該ブロック部は幅を有する、第１のレールと、
前記第１のレールに対して変位可能な第２のレールであって、該第２のレールは第１の部分及び第２の部分を有する、第２のレールと、
前記第２のレールに配置される第１のロック機構であって、該第１のロック機構は第１の要素、第２の要素及び弾性要素を含み、該第２の要素は前記第２のレールに対して第１の位置及び第２の位置のいずれか一方に移動可能であり、前記第２の要素は前記弾性要素の弾性力に反応して前記第１の位置に滞在でき、前記第２の要素が前記第１の位置にある場合、前記第１の要素及び前記第２の要素はお互いの間に第１の空間を定義し、該第１の空間は前記ブロック部の幅よりも小さい、第１のロック機構と、
前記第２のレールに配置される第２のロック機構と、
前記第１のロック機構及び前記第２のロック機構に操作可能に接続される操作部材と、
を含むスライドレールアセンブリであって、
前記第２のレールが前記第１のレールに対して引っ込め位置から第１の方向に変位させるプロセスの所定の段階に入っている場合、前記第１のロック機構の第２の要素は前記第１のレールのブロック部と接触し、
前記第２の要素は、前記第２のレールが前記第１のレールに対して前記第１の方向に変位されて第１の所定の位置に到達することに対応して前記第２のレールに対して前記第２の位置に移動し、
前記第２の要素が前記第２の位置にある場合、前記弾性要素は前記第２の要素によって押し付けられることにより弾性エネルギーを蓄積し、前記第１の空間は第１のロック空間になり、前記第１のレールのブロック部は該第１のロック空間内でロックされ、前記第２のレールの第１の部分は前記第１のレールの前端を越えて延在した状態にあり、
前記弾性要素が蓄積した弾性エネルギーを放つことにより前記第２の要素を前記第１の位置に戻すために、前記第１のロック機構は前記操作部材の操作を通じて前記ブロック部からロック解除でき、
前記第２のレールが前記第１のレールに対して前記第１の所定の位置から前記第１の方向に変位された後で第２の所定の位置に到達した場合、前記第２のロック機構は前記第１のレールのブロック部にロックされ、前記第２のレールの第２の部分は前記第１のレールの前端を越えて延在した状態にあり、
前記第１のロック機構及び前記第２のロック機構は、前記操作部材の操作を通じてロック状態からロック解除状態に駆動されることにより、前記第２のレールを前記第１のレールに対して第２の方向に引っ込めることができるように構成されている、スライドレールアセンブリ。
【請求項２】
前記第１の要素は第１のシャフトを通じて前記第２のレールに回転可能に取り付けられ、前記第２の要素は第２のシャフトを通じて前記第２のレールに回転可能に取り付けられている、請求項１に記載のスライドレールアセンブリ。
【請求項３】
前記第２の要素及び前記第２のレールのうちの一方は取り付け孔を備え、前記第２のシャフトは該取り付け孔の一部を通る、請求項２に記載のスライドレールアセンブリ。
【請求項４】
前記取り付け孔は楕円形である、請求項３に記載のスライドレールアセンブリ。
【請求項５】
第１のベースをさらに含み、
前記第１のベースは前記第１の要素及び前記第２の要素にそれぞれ弾性力を提供するための第１の弾性部及び第２の弾性部を含み、
前記第１の要素は第１のガイド部を含み、該第１のガイド部は、前記第１の要素が前記第１の方向に前記ブロック部の第１の側を通って前記ブロック部の第２の側に移ることができるようにし、該第１のガイド部は傾斜面及び湾曲面のうちの一方であり、前記第２のレールが前記第１の所定の位置にある場合、前記第１の要素及び前記第２の要素は前記ブロック部の２つの側にそれぞれ位置するとともにロック状態にある、請求項４に記載のスライドレールアセンブリ。
【請求項６】
前記第１の要素及び前記第２の要素は前記操作部材の操作を通じてロック状態からロック解除状態になることで、前記第２のレールが前記第１のレールに対して前記第１の所定の位置から前記第２の所定の位置の方へと前記第１の方向に変位できるようにするよう構成されている、請求項５に記載のスライドレールアセンブリ。
【請求項７】
前記第２のロック機構は第３の要素を含み、該第３の要素は前記第２のレールに枢結され、
前記スライドレールアセンブリは第２のベースをさらに含み、該第２のベースは前記第３の要素に弾性力を提供するための第３の弾性部を含み、前記第３の要素はガイド構造を含み、該ガイド構造は、前記第３の要素が前記第１の方向に前記ブロック部の第１の側を通って前記ブロック部の第２の側に移ることができるようにし、該ガイド構造は傾斜面及び湾曲面のうちの一方であり、前記第２のレールが前記第２の所定の位置にある場合、前記第３の要素は前記ブロック部の第２の側に位置するとともにロック状態にある、請求項６に記載のスライドレールアセンブリ。
【請求項８】
前記第３の要素、前記第２の要素及び前記第１の要素は前記操作部材の操作を通じてロック状態からロック解除状態になって、前記第２のレールが前記第１のレールに対して前記第２の所定の位置から前記第２の方向に引っ込めることができるように構成されている、請求項７に記載のスライドレールアセンブリ。
【請求項９】
第３のレールをさらに含み、前記第１のレールは該第３のレールと前記第２のレールとの間で可動に取り付けられる、請求項１に記載のスライドレールアセンブリ。
【請求項１０】
スライドレールと、
前記スライドレールの２つの異なる部分にそれぞれ配置される第１のロック機構及び第２のロック機構であって、該第１のロック機構は第１の要素及び第２の要素を含み、該第２の要素はシャフトを通じて前記スライドレールに回転可能に取り付けられ、該第２のロック機構は第３の要素を含む、第１のロック機構及び第２のロック機構と、
前記第２の要素及び前記スライドレールのうちの一方に設けられる取り付け孔であって、前記シャフトは、前記第２の要素が第１の位置及び第２の位置のいずれか一方に移動できるように該取り付け孔の一部を通る、取り付け孔と、
弾性要素であって、前記第２の要素は該弾性要素の弾性力に反応して前記第１の位置に滞在できる、弾性要素と、
前記第１のロック機構及び前記第２のロック機構を操作して前記第１のロック機構及び前記第２のロック機構をロック状態からロック解除状態にするための操作部材と、
を含むレールキットであって、
前記第２の要素が前記第１の位置にある場合、前記第１の要素及び前記第２の要素はお互いの間に第１の空間を定義し、
前記第２の要素が前記第２の位置にある場合、前記第１の空間は、前記第１の空間よりも大きい第１のロック空間になる、レールキット。
【発明の詳細な説明】
【技術分野】
【０００１】
本発明はスライドレールに関し、より具体的には２段階ロック機能を備えるスライドレールアセンブリに関する。
【背景技術】
【０００２】
一般に、スライドレールアセンブリは第１のレールと、第１のレールに対して変位可能な第２のレールとを含む。第２のレールが第１のレールに対して特定の方向に変位された後で所定の位置に到達した場合、第２のレールが第１のレールに対してその特定の方向にさらに変位されるのを防止して、第２のレールを所定の位置で維持するために、第２のレールと第１のレールとの間にブロック構造が通常存在する。
【０００３】
技術の進展により、ブロック機構によって第２のレールを第１のレールに対して所定の位置で維持できるだけでなく、操作部材によりブロック機構を解除して第２のレールを第１のレールに対して所定の方向にさらに変位させることができる同様の製品が現れている。例えば、特許文献１には外側部材（２０）、内側部材（３０）、ストップ部材（５０）及び枢動部材（７０）を含むスライドレールアセンブリが開示されている。枢動部材（７０）は、内側部材（３０）が外側部材（２０）に対して所定の位置にある場合にストップ部材（５０）が枢動部材（７０）をブロックし、それにより内側部材（３０）が外側部材（２０）に対して不意に変位するのが防止されるように内側部材（３０）に枢結されている。
【先行技術文献】
【特許文献】
【０００４】
【特許文献１】米国特許第６４１２８９１号明細書
【特許文献２】米国特許第６９３５７１０号明細書
【特許文献３】米国特許第６８５１７７４号明細書
【発明の概要】
【発明が解決しようとする課題】
【０００５】
しかしながら、市場の要求は変化するため、関連業界においてはスライドレールアセンブリに少なくとも２段階ロック機構を設けることにより異なるスライドレール製品を開発することが重要な課題となっている。
【０００６】
本発明は、スライドレールを２段階ロックすることができるともに１回のステップだけでロック解除できるスライドレールアセンブリを提供する。
【課題を解決するための手段】
【０００７】
本発明の一態様によれば、スライドレールアセンブリは第１のレール、第２のレール、第１のロック機構、第２のロック機構及び操作部材を含む。第１のレールは前端及びブロック部を有し、ブロック部は幅を有する。第２のレールは第１のレールに対して変位可能であり、第１の部分及び第２の部分を有する。第１のロック機構は第２のレールに配置され、第１の要素、第２の要素及び弾性要素を含む。第２の要素は第２のレールに対して第１の位置及び第２の位置のいずれか一方に移動可能であり、弾性要素の弾性力に反応して第１の位置に滞在できる。第２の要素が第１の位置にある場合、第１の要素及び第２の要素はお互いの間に第１の空間を定義し、第１の空間はブロック部の幅よりも小さい。第２のロック機構も第２のレールに配置される。操作部材は第１のロック機構及び第２のロック機構に操作可能に接続される。第２のレールが第１のレールに対して引っ込め位置から第１の方向に変位させるプロセスの所定の段階に入っている（goes  through  a  predetermined  section  of  a  process  of  displacement）場合、第１のロック機構の第２の要素は第１のレールのブロック部と接触する。第２の要素は、第２のレールが第１のレールに対して第１の方向に変位されて第１の所定の位置に到達することに対応して第２のレールに対して第２の位置に移動する。第２の要素が第２の位置にある場合、弾性要素は第２の要素によって押し付けられることにより所定量の弾性エネルギーを蓄積し、第１の空間は第１のロック空間になり、その結果、第１のレールのブロック部は第１のロック空間内でロックされ、第２のレールの第１の部分は第１のレールの前端を越えて延在した状態にある。弾性要素が蓄積した弾性エネルギーを放つことにより第２の要素を第１の位置に戻すために、第１のロック機構は操作部材の操作を通じてブロック部からロック解除できる。第２のレールが第１のレールに対して第１の所定の位置から第１の方向に変位された後で第２の所定の位置に到達した場合、第２のロック機構は第１のレールのブロック部にロックされ、第２のレールの第２の部分は第１のレールの前端を越えて延在した状態にある。第１のロック機構及び第２のロック機構は、操作部材の操作を通じてロック状態からロック解除状態に駆動されることにより、第２のレールを第１のレールに対して第２の方向に引っ込めることができるように構成されている。
【０００８】
第１の要素は第１のシャフトを通じて第２のレールに回転可能に取り付けられ、第２の要素は第２のシャフトを通じて第２のレールに回転可能に取り付けられていることが好ましい。
【０００９】
第２の要素及び第２のレールのうちのいずれか一方は取り付け孔を備え、第２のシャフトは、第２の要素が第２のシャフトに対して変位できるように取り付け孔の一部を通ることが好ましい。
【００１０】
前記取り付け孔は楕円形であることが好ましい。
【００１１】
スライドレールアセンブリは第１のベースをさらに含むことが好ましい。第１のベースは第１の要素及び第２の要素にそれぞれ弾性力を提供するための第１の弾性部及び第２の弾性部を含む。
【００１２】
第１の要素は第１のガイド部を含むことが好ましい。第１のガイド部は、第１の要素が第１の方向にブロック部の第１の側を通ってブロック部の第２の側に移ることができるようにする。
【００１３】
第１のガイド部は傾斜面及び湾曲面であることが好ましい。
【００１４】
第２のレールが第１の所定の位置にある場合、第１の要素及び第２の要素はブロック部の２つの側にそれぞれ位置するとともにロック状態にあることが好ましい。
【００１５】
第１の要素及び第２の要素は操作部材の操作を通じてロック状態からロック解除状態になることで、第２のレールが第１のレールに対して第１の所定の位置から第２の所定の位置の方へと第１の方向に変位できるようにするよう構成されていることが好ましい。
【００１６】
第２のロック機構は第２のレールに枢結される第３の要素を含むことが好ましい。
【００１７】
スライドレールアセンブリは第２のベースをさらに含むことが好ましい。第２のベースは第３の要素に弾性力を提供するための第３の弾性部を含む。
【００１８】
第３の要素はガイド構造を含むことが好ましい。ガイド構造は、第３の要素が第１の方向にブロック部の第１の側を通ってブロック部の第２の側に移ることができるようにする。
【００１９】
ガイド構造は傾斜面又は湾曲面であることが好ましい。
【００２０】
第２のレールが前記第２の所定の位置にある場合、第３の要素はブロック部の第２の側に位置するとともにロック状態にあることが好ましい。
【００２１】
第３の要素、第２の要素及び第１の要素は操作部材の操作を通じてロック状態からロック解除状態になって、第２のレールが第１のレールに対して第２の所定の位置から第２の方向に引っ込めることができるように構成されていることが好ましい。
【００２２】
スライドレールアセンブリは第３のレールをさらに含み、第１のレールは第３のレールと第２のレールとの間で可動に取り付けられることが好ましい。
【００２３】
本発明の別の態様によれば、レールキットはスライドレール、第１のロック機構、第２のロック機構、弾性要素及び操作部材を含む。第１のロック機構及び第２のロック機構はスライドレールの２つの異なる部分にそれぞれ配置される。第１のロック機構は第１の要素及び第２の要素を含み、第２の要素はシャフトを通じてスライドレールに回転可能に取り付けられる。第２のロック機構は第３の要素を含む。第２の要素又はスライドレールのいずれかには取り付け孔が設けられる。シャフトは、第２の要素が第１の位置又は第２の位置のいずれかに移動できるように取り付け孔の一部を通る。第２の要素は弾性要素の弾性力に反応して第１の位置に滞在できる。操作部材は第１のロック機構及び第２のロック機構を操作して第１のロック機構及び第２のロック機構をロック状態からロック解除状態にするように構成されている。第２の要素が第１の位置にある場合、第１の要素及び前記第２の要素はお互いの間に第１の空間を定義する。第２の要素が第２の位置にある場合、第１の空間は、第１の空間よりも大きい第１のロック空間になる。
【００２４】
第１のロック機構の第１の要素及び第２の要素はスライドレールに枢結され、レールキットは第１のベースをさらに含み、第１のベースは第１の要素及び第２の要素にそれぞれ弾性力を提供するための第１の弾性部及び第２の弾性部を含むことが好ましい。第２のロック機構の第３の要素はスライドレールに枢結され、レールキットは第２のベースをさらに含み、第２のベースは第３の要素に弾性力を提供するための第３の弾性部を含むことが好ましい。
【図面の簡単な説明】
【００２５】
【図１】図１は、本発明の一実施形態に係る一対のスライドレールアセンブリを通じて物体がどのようにラックに取り付けられるかを示す斜視図である。
【図２】図２は、本発明の一実施形態に係るスライドレールアセンブリの分解斜視図である。
【図３】図３は、図２の○で囲った領域Ａの拡大図である。
【図４】図４は、本発明の一実施形態に係るスライドレールアセンブリの組み立て斜視図である。
【図５】図５は、図４の○で囲った領域Ａの拡大図である。
【図６】図６は、本発明の他の実施形態における第２のレール及び第２の要素の組み立て図である。
【図７】図７は、本発明の一実施形態に係る引っ込められた状態にあるスライドレールアセンブリを示す。
【図８】図８は、本発明の一実施形態に係るスライドレールアセンブリの第２のレールが第１のレールに対して第１の方向に変位されているのを示す。
【図９】図９は、本発明の一実施形態に係るスライドレールアセンブリの第２のレールが第１のレールに対して第１の方向にさらに変位されているのを示す。
【図１０】図１０は、本発明の一実施形態に係るスライドレールアセンブリの第２のレールが第１のレールに対して第１の方向によりさらに変位されているのを示す。
【図１１】図１１は、本発明の一実施形態に係るスライドレールアセンブリの第２のレールが第１のレールに対して第１の方向に変位された後で第１の所定の位置に到達し、第１のロック機構が第１のレールのブロック部にロックされているのを示す。
【図１２】図１２は、本発明の一実施形態に係るスライドレールアセンブリの第１のロック機構が操作部材によってブロック部からロック解除されて第２のレールを第１の方向に変位させることができるのを示す。
【図１３】図１３は、本発明の一実施形態に係るスライドレールアセンブリの第２のレールが第１のレールに対して第１の方向に変位されているのを示す。
【図１４】図１４は、本発明の一実施形態に係るスライドレールアセンブリの第２のレールが第１のレールに対して第１の方向にさらに変位されているのを示す。
【図１５】図１５は、本発明の一実施形態に係るスライドレールアセンブリの第２のレールが第１のレールに対して第１の方向に変位された後で第２の所定の位置に到達し、第２のロック機構が第１のレールのブロック部にロックされているのを示す。
【図１６】図１６は、本発明の一実施形態に係るスライドレールアセンブリの操作部材が操作されて、第２のロック機構及び第１のロック機構の関連要素をロック状態からロック解除状態にし、その後にスライドレールアセンブリの第２のレールが第１のレールに対して第２の方向に引っ込められているのを示す。
【発明を実施するための形態】
【００２６】
図１を参照して、物体２０は、本発明の一実施形態に係る一対のスライドレールアセンブリ２２を通じてラック２４の複数のポスト（例えば、一対の第１のポスト２４ａ及び一対の第２のポスト２４ｂ）に取り付けられている。各スライドレールアセンブリ２２は第１のレール２６及び第２のレール２８を含み、好ましくは第３のレール３０も含む。第１のレール２６は第３のレール３０と第２のレール２８との間で可動に取り付けられる。各第３のレール３０は対応する第１のポスト２４ａ及び対応する第２のポスト２４ｂに第１のブラケット３２ａ及び第２のブラケット３２ｂそれぞれを通じて取り付けられている。第２のレール２８は、第２のレール２８により物体２０をラック２４から引き出すこと又はラック２４内に押し込んで戻すことができるように物体２０を保持するのに用いられる。
【００２７】
図２〜図４を参照して、第１のブラケット３２ａ及び第２のブラケット３２ｂはスライドレールアセンブリ２２の第３のレール３０の２つの部分（例えば、前部及び後部）にそれぞれ配置され、第３のレール３０は第1の通路３４を定義する。
【００２８】
第１のレール２６は第３のレール３０の第１の通路３４内で可動に取り付けられている。第１のレール２６は第１の壁２６ａと、第２の壁２６ｂと、第１の壁２６ａ及び第２の壁２６ｂの間に接続される側壁２６ｃとを含む。第１の壁２６ａ、第２の壁２６ｂ及び側壁２６ｃは共に第２の通路３６を定義する。より具体的には、第１のレール２６は前端３８、後端４０及びブロック部４２を有する（図１２）。ブロック部４２は前端３８と後端４０との間に位置するとともに第２の通路３６内にあり、好ましくは第１のレール２６の前端３８に隣接する。ブロック部４２は第１のレール２６の側壁２６ｃと一体化された突出要素であってもよいし、ブロック部４２を含む付属部品４４をブロック部４２が第１のレール２６の側壁２６ｃから突出するように第１のレール２６にリベット、溶接又はネジにより接続してもよい。本発明はこの点で限定されない。第２のレール２８は第１のレール２６の第２の通路３６内に可動に取り付けられる。
【００２９】
第２のレール２８は第１の壁２８ａと、第２の壁２８ｂと、第１の壁２８ａ及び第２の壁２８ｂの間に接続される側壁２８ｃとを含む。スライドレールアセンブリ２２は第１のロック機構４６、第２のロック機構４８及び操作部材５０をさらに含む。第１のロック機構４６及び第２のロック機構４８は第２のレール２８の２つの異なる部分にそれぞれ配置されている。例えば、第１のロック機構４６は第２のロック機構４８よりも第２のレール２８の前端に近く、第２のロック機構４８は第１のロック機構４６よりも第２のレール２８の後端に近い。しかしながら、実際には、２つのロック機構はこのように配置される必要はない。より具体的には、第１のロック機構４６及び第２のロック機構４８は第２のレール２８の側壁２８ｃに位置し且つ互いに離れている。第２のレール２８（本願ではスライドレールとも言う）、第１のロック機構４６、第２のロック機構４８及び操作部材５０はレールキットを構成する。
【００３０】
第１のロック機構４６は第１の要素５２及び第２の要素５４を含む。第１の要素５２及び第２の要素５４は別々に且つ回転可能に第２のレール２８に取り付けられている。より具体的には、第１の要素５２及び第２の要素５４は第１のシャフト５６及び第２のシャフト５８（本願ではでは後者をシャフトともに言う）によりそれぞれ第２のレール２８の側壁２８ｃに枢結されている。好ましい実施形態では、第２の要素５４は境界領域内で第１の要素５２に対して長手方向に変位可能である。例えば、長手方向の変位は第２の要素５４又は第２のレール２８のいずれかに取り付け孔５５を設けることにより可能となる。図３は、取り付け孔５５が第２の要素５４に設けられる場合を示す。
【００３１】
より具体的には、取り付け孔５５は第２のシャフト５８により貫通されるように構成された楕円形の孔である。取り付け孔５５は長手方向に、即ち第２のレール２８の長さ（又は長手方向）に沿って配置されていることが好ましい。図５を参照して、第２のシャフト５８の本体は、第２の要素５４が第２のシャフト５８に対して長手方向に変位できるように取り付け孔５５の一部を通って第２のレール２８の側壁２８ｃに接続されている。例えば、取り付け孔５５の孔の直径Ｗ１は第２のシャフト５８のシャフトの直径Ｗ２よりも大きく、第２の要素５４は孔の直径Ｗ１とシャフトの直径Ｗ２との間の差によって定義される領域内で第２のシャフト５８に対して変位できる。加えて、第２のレール２８と第２の要素５４との間に弾性要素５７が配置され、弾性要素５７の弾性力に反応して第２の要素５４が第２のシャフト５８又は第２のレール２８に対して第１の位置Ｍ１に滞在するようにする。図６に示す別の実施形態では、代わりに取り付け孔５５は第２のレール２８に設けられ、第２の要素５４は第２のシャフト５８を通じて取り付け孔５５の一部を通るため、境界領域内で長手方向に変位することが同じく可能である。即ち、取り付け孔５５、第２の要素５４及び第２のシャフト５８の構成は図５に図示するものに限定されない。
【００３２】
図２及び図４を参照して、第２のロック機構４８は第３の要素６０を含み、好ましくは第４の要素６２も含む。第３の要素６０及び第４の要素６２は別々に且つ回転可能に第２のレール２８に取り付けられる。より具体的には、第３の要素６０及び第４の要素６２はそれぞれ第３のシャフト６４及び第４のシャフト６６により第２のレール２８の側壁２８ｃに枢結されている。
【００３３】
スライドレールアセンブリ２２又はレールキットは、第２のレール２８の側壁２８ｃに固定接続される第１のベース６８及び第２のベース７０をさらに含むことが好ましい。第１のベース６８は、第１の要素５２及び第２の要素５４にそれぞれ弾性力を提供するための第１の弾性部７２ａ及び第２の弾性部７２ｂを含む。第２のベース７０は第３の要素６０及び第４の要素６２にそれぞれ弾性力を提供するための第３の弾性部７４ａ及び第４の弾性部７４ｂを含む。
【００３４】
操作部材５０は第１のロック機構４６及び第２のロック機構４８を操作するように構成されている。例えば、操作部材５０は第１のロック機構４６の第１の要素５２及び第２の要素５４並びに第２のロック機構４８の第３の要素６０を操作するのに用いることができる。ここでは、一例として、操作部材５０は第２のレール２８に配置され且つ第１のロック機構４６の第１の要素５２及び第２の要素５４並びに第２のロック機構４８の第３の要素６０に操作可能に接続されている。
【００３５】
より具体的には、操作部材５０は延在部５０ａを含み、延在部５０ａは第２のレール２８の長さと同じ方向に延びる所定の長さを有する。操作部材５０は、延在部５０ａに接続される操作部５０ｂをさらに含むことが好ましい。延在部５０ａは、延在部５０ａの長さに沿って連続して配置される第１の駆動構造７６ａ、第２の駆動構造７６ｂ及び第３の駆動構造７６ｃ等の複数の駆動構造を含む。操作部材５０は第１の要素５２、第２の要素５４及び第３の要素６０をそれぞれ駆動構造７６ａ、７６ｂ及び７６ｃを通じて操作する。
【００３６】
第１の要素５２は第１のガイド部７８を含み、第１のガイド部７８は傾斜面又は湾曲面であることが好ましい。第３の要素６０はガイド構造８４を含み、ガイド構造８４は傾斜面又は湾曲面であることが好ましい。
【００３７】
引っ込められた状態のスライドレールアセンブリ２２を示す図７を参照して、第１のレール２６は第３のレール３０に対して引っ込められ、第２のレール２８は第１のレール２６に対して引っ込め位置Ｒにある。第１のロック機構４６の第２の要素５４は、弾性要素５７の弾性力に反応して第２のレール２８に対して第１の位置Ｍ１に滞在する。第２の要素５４が第１の位置Ｍ１にある間、第１の要素５２及び第２の要素５４はそれらの間に第１の空間Ａ１を定義する。第１の空間Ａ１は第１のレール２６のブロック部４２の幅Ｂよりも小さい。さらに、第２のロック機構４８の第３の要素６０及び第４の要素６２はそれらの間に第２の空間Ａ２を定義し、第１のレール２６のブロック部４２の幅Ｂは第２の空間Ａ２よりも小さい。Ａ１、Ａ２及びＢの間の関係は、数学的にＡ１＜Ｂ＜Ａ２で表すことができる。
【００３８】
図８を参照して、第２のレール２８は第１のレール２６に対して引っ込め位置Ｒから第１の方向Ｄ１（例えば開く方向）に所定の距離変位され、第１の要素５２の第１のガイド部７８が第１のレール２６のブロック部４２の第１の側Ｌ１と接触されている。
【００３９】
図９に示すように、第２のレール２８が第１の方向Ｄ１にさらに変位されると、第１の要素５２はブロック部４２の第１の側Ｌ１と第１のガイド部７８との間の接触により所定の角度傾斜される。係る傾斜により、第１の要素５２は第１のベース６８の第１の弾性部７２が所定量の弾性エネルギーを蓄積するように第１のレール２６のブロック部４２の第１の側Ｌ１を第１の方向Ｄ１に通り過ぎる（move  past）ことができる。
【００４０】
図１０及び図１１に示すように、第２のレール２８が第１のレール２６に対して第１の方向Ｄ１にさらに変位されて、変位プロセスの所定段階を経ると、第１のロック機構４６の第２の要素５４は第１のレール２６のブロック部４２の第１の側Ｌ１と接触するか又はより具体的には第１の側Ｌ１に押し付けられる（図１０参照）。図１１に示すように、第２のレール２８が、第１のレール２６に対して第１の方向Ｄ１にさらに変位された後で第１の所定の位置Ｐ１に到達すると、第２の要素５４は第２のレール２８に対して第２の位置Ｍ２にあることにより、弾性要素５７を押し付ける。その結果、弾性要素５７は所定量の弾性エネルギーを蓄積し、第１の空間Ａ１は、第１のレール２６のブロック部４２があり得る第１のロック空間Ａ１１に広がり、その後に第１のレール２６の前端３８を越えて延びる第２のレール２８の第１の部分Ｘ１にロックされる。第２のレール２８が第１の所定の位置Ｐ１に到達すると、第１の要素５２は、第１のベース６８の第１の弾性部７２ａによって放出された弾性エネルギーに反応してブロック部４２の第２の側Ｌ２に到達する。さらに、第２の要素５４はブロック部４２の第１の側Ｌ１に位置する。そのため、第１の要素５２及び第２の要素５４はブロック部４２の２つの側にそれぞれ位置し、第２のレール２８が第１のレール２６に対して不意に変位するのを防止するためにロック状態Ｓ１にある。
【００４１】
図１２を参照して、その後第１のロック機構４６をブロック部４２からロック解除するために操作部材５０を操作することができる。例えば、ユーザーは、操作部材５０が第１の要素５２及び第２の要素５４のそれぞれを所定の角度傾斜させて、第１の要素５２及び第２の要素５４をロック状態Ｓ１からロック解除状態Ｓ２にするために、力Ｆを操作部材５０に加え、それにより操作部材５０を操作することができる。ロック解除状態Ｓ２では、第１のロック機構４６はもはやブロック部４２にロックされていないため、第２のレール２８は第１のレール２６に対して第１の方向Ｄ１にさらに変位させることができる第１のロック機構４６がブロック部４２からロック解除されると、第２の要素５４は第１のレール２６のブロック部４２の第１の側Ｌ１から遠ざかる。それにより、弾性要素５７は内部で蓄積した弾性エネルギーを放出し、第２の要素５４に弾性エネルギーを印加して第２の要素５４を第１の位置Ｍ１に戻す。したがたって、第１のロック空間Ａ１１は小さくなって第１の空間Ａ１に戻る。
【００４２】
図１３に示すように、第１のロック機構４６がブロック部４２からロック解除されると直ぐに、第２のレール２８は第１のレール２６に対して第１の方向Ｄ１に第１の所定の位置Ｐ１から変位させることができる。第２のレール２８が変位プロセスの所定の段階を経る間、第２のロック機構４８の第３の要素６０のガイド構造８４は第１のレール２６のブロック部４２の第１の側Ｌ１と接触する。
【００４３】
図１４に示すように、第２のレール２８が第１の方向Ｄ１にさらに変位されると、第３の要素６０はブロック部４２の第１の側Ｌ１とガイド構造８４との間の接触によって所定の角度傾斜される。この傾斜により、第３の要素６０は第２のベース７０の第３の弾性部７４Ａは所定量の弾性エネルギーを蓄積するように第１のレール２６のブロック部４２の第１の側Ｌ１を第１の方向Ｄ１に通過することができる。
【００４４】
図１５に示すように、第２のレール２８が第１のレール２６に対して第１の方向Ｄ１にさらに変位された後で第２の所定の位置Ｐ２に到達すると、スライドレールアセンブリ２２は第２の伸長状態に入る。第２の伸長状態では、第２のロック機構４８は、第２のレール２８の第２の部分Ｘ２が第１のレール２６の前端３８を越えて延びた状態で第１のレール２６のブロック部４２にロックされる。例えば、第２のレール２８が第１のレール２６に対して第１の方向Ｄ１に変位された後で第２の所定の位置Ｐ２に到達すると、第３の要素６０は、第２のベース７０の第３の弾性部７４ａによって放出された弾性エネルギーに反応してブロック部４２の第２の側Ｌ２に到達する。さらに、第４の要素６２はブロック部４２の第１の側Ｌ１に位置する。そのため、第３の要素６０及び第４の要素６２はブロック部４２の２つ側にそれぞれ位置し、第２のレール２８が第１のレール２６に対して不意に変位するのを防止するためにロック状態Ｓ１にある。
【００４５】
図１６を参照して、その後、操作部材５０を用いて第３の駆動構造７６ｃ、第２の駆動構造７６ｂ及び第１の駆動構造７６ａのそれぞれを通じて第３の要素６０、第２の要素５４及び第１の要素５２を操作することができる。例えば、ユーザーは操作部材５０に力Ｆを加えることにより第２のロック機構４８の第３の要素６０並びに第１のロック機構４６の第２の要素５４及び第１の要素５２をロック状態Ｓ１からロック解除状態Ｓ２に駆動させることができる。ロック解除状態Ｓ２では、第２のロック機構４８はもはやブロック部４２にロックされておらず（第１のロック機構４６も同じ）、第１のレール２６のブロック部４２は第１のロック機構４６の第１の空間Ａ１内でロックされない（第１の空間Ａ１は第１のレール２６のブロック部４２の幅Ｂよりも小さいため）。そのため、第２のレール２８は第１のレール２６に対して第２の所定の位置Ｐ２から第２の方向Ｄ２に直接引っ込めることができる。即ち、スライドレールアセンブリ２２は２段階で作動できるロックを提供する一方、２段階ロックは１回のステップだけで完全に解除することができる。
【００４６】
上記によれば、本願で開示した実施形態はスライドレールアセンブリ２２の２段階ロック機構により特徴付けることができる。第２のレール２８が第１のレール２６に対して第２の所定の位置Ｐ２に位置している場合、ユーザーは、単に操作部材５０を操作することにより、第２のレール２８を第２の所定の位置Ｐ２から図７に示す位置に第１のレール２６に対して第２の方向Ｄ２に直接引っ込めることができる。何故なら、操作部材５０は第１のロック機構４６及び第２のロック機構４８をロック状態からロック解除状態に同時に駆動させるからである。
【００４７】
上述の好ましい実施形態を通じて本発明を開示してきたが、これらの実施形態は本発明の範囲を限定することを意図したものではないことが分かる。出願人が求める特許の保護範囲は添付の特許請求の範囲によって定義される。
【符号の説明】
【００４８】
２０  物体
２２  スライドレールアセンブリ
２４  ラック
２６  第１のレール
２８  第２のレール
３０  第３のレール
３２  ブラケット
３４  第１の通路
３６  第２の通路
３８  前端
４０  後端
４２  ブロック部
４４  付属部品
４６  第１のロック機構
４８  第２のロック機構
５０  操作部材
５２  第１の要素
５４  第２の要素
５６  第１のシャフト
５８  第２のシャフト
６０  第３の要素
６２  第４の要素
６４  第３のシャフト
６６  第４のシャフト
６８  第１のベース
７０  第２のベース
７２  弾性部
７４  弾性部
７６  駆動構造
７８  第１のガイド部
【図１】
2019118788.tif 000003
【図２】
2019118788.tif 000004
【図３】
2019118788.tif 000005
【図４】
2019118788.tif 000006
【図５】
2019118788.tif 000007
【図６】
2019118788.tif 000008
【図７】
2019118788.tif 000009
【図８】
2019118788.tif 000010
【図９】
2019118788.tif 000011
【図１０】
2019118788.tif 000012
【図１１】
2019118788.tif 000013
【図１２】
2019118788.tif 000014
【図１３】
2019118788.tif 000015
【図１４】
2019118788.tif 000016
【図１５】
2019118788.tif 000017
【図１６】
2019118788.tif 000018